(57)【要約】【課題】処理されるべき髪の房の厚みに適応できるヘアスタイリング器具を提供する。【解決手段】ヘアスタイリング器具は、ハンドル（１）と、保持部（２）と、これと協働する少なくとも１つの加熱部（３）とを具え、保持部（２）および加熱部（３）はハンドル（１）に結合したそれぞれのハウジング（６，２２；５，２０）に取り付けられ、保持部（２）および加熱部（３）の少なくとも一方はハウジング（６，２２；５，２０）に浮いた状態で支持され、保持部（２）および加熱部（３）間に髪が挿入可能である。本発明においては、保持部（２）および加熱部（３）の少なくとも一方が第１磁石（１１）を具え、該第１磁石は、ハウジング（６，２２；５，２０）に属して対向する第２磁石（１２）であって、第１磁石と同位相に取り付けられた当該第２磁石と協働する。【選択図】図３
2008253745.tif 000002
【特許請求の範囲】
【請求項１】
ハンドル（１）と、保持部（２）と、これと協働する少なくとも１つの加熱部（３）とを具え、前記保持部（２）および前記加熱部（３）は前記ハンドル（１）に結合したそれぞれのハウジング（６，２２；５，２０）に取り付けられ、前記保持部（２）および前記加熱部（３）の少なくとも一方が前記ハウジング（６，２２；５，２０）に浮いた状態で支持され、前記保持部（２）および前記加熱部（３）間に髪が挿入可能であるヘアスタイリング器具において、
前記保持部（２）および前記加熱部（３）の少なくとも一方が第１の磁石を具え、該第１の磁石は、前記ハウジング（６，２２；５，２０）に属して対向する第２の磁石であって、前記第１の磁石と同位相に取り付けられた当該第２の磁石と協働することを特徴とするヘアスタイリング器具。
【請求項２】
前記磁石（１１，１２）は前記保持部（２）または前記加熱部（３）の実質的な端部の各々に配置されることを特徴とする請求項１に記載のヘアスタイリング器具。
【請求項３】
前記保持部（２）が加熱されることを特徴とする請求項１または請求項２に記載のヘアスタイリング器具。
【請求項４】
前記保持部（２）または前記加熱部（３）は、平坦な形状または波状の髪処理面を有することを特徴とする請求項１ないし請求項３のいずれかに記載のヘアスタイリング器具。
【請求項５】
前記保持部（２）または前記加熱部（３）を案内する手段を具え、該手段は、前記髪処理面（１７，１８）の平面に直交する、中間にある平面内、または前記平面のいずれかの側部に配置されていることを特徴とする請求項４に記載のヘアスタイリング器具。
【請求項６】
前記加熱部（３）は、回転体形状を持つ髪処理面（３６）を有し、前記保持部（２）は、前記加熱部（３）の形状に適合する処理プレート（３５）を有することを特徴とする請求項１ないし請求項３のいずれかに記載のヘアスタイリング器具。
【請求項７】
前記保持部（２）を半径方向に案内する手段（３７）を具えたことを特徴とする請求項６に記載のヘアスタイリング器具。
【請求項８】
前記保持部の前記ハウジングおよび前記加熱部の前記ハウジングは、前記ハンドルの長手方向軸に直交する軸のまわりに回動可能に取り付けられていることを特徴とする請求項１ないし請求項７のいずれかに記載のヘアスタイリング器具。
【請求項９】
前記保持部の前記ハウジングおよび前記加熱部の前記ハウジングは前記ハンドルに対して固定されるよう取り付けられるとともに、さらに、前記加熱部（３）と前記保持部（２）との間に髪を挿入するための手段を具えたことを特徴とする請求項１ないし請求項７のいずれかに記載のヘアスタイリング器具。
【請求項１０】
前記磁界の力を調整する手段を具えたことを特徴とする請求項１ないし請求項９のいずれかに記載のヘアスタイリング器具。
【発明の詳細な説明】
【技術分野】
【０００１】
本発明は、保持部および加熱部（これらの間に髪の房を挿入可能である）に結合したハンドルを具える整髪用の器具に関し、特に処理されるべき髪の房に圧力を作用するための機構を具えた器具に関するものである。
【背景技術】
【０００２】
例えばストレートニング用アイロン、カール用アイロンおよびクリンプ用アイロンなどの整髪器具の多くは、２つの機械的要素を支持するハンドルを具えている。２つの機械的要素の少なくとも一方は加熱されるものであり、他方の要素はその一方の要素に髪が接触するようにするために設けられている。特に、髪を挿入できる開放位置から閉鎖位置に他方の要素を移動させることで、加熱部に髪が接触する。開放位置から閉鎖位置への移動は、髪に押圧力を作用するクリップの開放レバーを押圧することにより、または器具の２つの関節型アームを互いに加圧して加熱部が髪に接触するようにすることにより、手動で行われるものである。かかる器具には、２つの要素が処理部から離れた回転軸のまわりで回動するものであることから、髪に一様・一定の圧力を加えることができないという問題があった。
【０００３】
加熱整髪の品質は熱伝達の諸法則により決定され、接触時間、熱交換の温度、材質の拡散率（diffusivity）、上記２つの要素の質量および接触の品質などのパラメータに従う。
【０００４】
特許文献１は、髪を保持するための回動支持クリップにばね式の押圧片を用いることで、処理される髪と円筒状加熱軸（mandrel）との接触を改善することが提案されている。ばね式の加圧片をもつこの種の回動クリップでは、器具の半径方向の寸法が増大し、従って相当に大径のカールを作ることしかできないものであった。さらに、加圧片および支持クリップはばねとして実現された機械的リンクによって結合するものであって、このリンクは作動時に摩擦の影響を受け、かつ組み立ての厳密性を要するものであることから、細い髪の房には有効に適合し得ないものであった。
【０００５】
特許文献２は髪のストレートニング器具について同様の解決策を提案している。この器具は、端部ジョイントに回動可能に取り付けられた２つの顎部を具えている。顎部の一方は、支持部に対して固定されるよう取り付けられた加熱ストレートニング用プレートを含み、他方の顎部は、ばねによる加圧下で当該顎部の支持部に対して可動となるよう取り付けられたストレートニング用プレートを含んでいる。この文献の器具においても同様に寸法の問題が生じ、器具のプレートは、ユーザが片手で簡単に閉じることができるようにする目的に対しては相当薄いものとしなければならない。さらに、ばね式の加圧プレートの信頼性にも疑問がある。ばねは、作動時に異常（jam）が生じ易く、故障も起こり得るからである。
【０００６】
他の解決策は、特許文献３および特許文献４などの文献にも記載されている。これらにおいて、器具は加熱プレートを浮いた状態で支持する（float-mounting）他の種のばねを用いている。特に特許文献３に記載された器具は、顎部の端部の板ばねにより浮いた状態で支持されたストレートニングプレートを具え、顎部自体は、器具の開放位置および閉鎖位置を提供する目的で、他端部で回動可能に関節接続されている。各ストレートニング用プレートは、対向するストレートニング用プレートの磁石と協働する磁石を具え、器具が閉じられたときのプレートの平行度が保証される。浮上ばねマウントを用いるこれらの器具にも、上述したのと同様の問題がある。
【０００７】
【特許文献１】欧州特許第１０３０５７１号明細書
【特許文献２】特開２０００−３３３７１９号公報
【特許文献３】特開２００２−２９１５１７号公報
【特許文献４】特開２００３−２５０６２６号公報
【発明の開示】
【発明が解決しようとする課題】
【０００８】
本発明の目的は、上述した問題点を排除し、長期にわたり髪を好ましい形状にすることができるとともに、髪の房の処理に必要な時間を短縮できる小型のヘアスタイリング器具を提供することにある。
【０００９】
本発明の他の目的は、作動時の信頼性を向上するために、処理されるべき髪の房の厚みに適応できるヘアスタイリング器具を提供することにある。
【００１０】
本発明の他の目的は、簡単にして小型の構造を有するとともに、低廉に量産できるヘアスタイリング器具を提供することにある。
【課題を解決するための手段】
【００１１】
これらの目的は、次の構成を具えるヘアスタイリング器具により達成される。すなわち、本発明のヘアスタイリング器具は、ハンドルと、保持部と、該保持部と協働する少なくとも１つの加熱部とを具え、該加熱部および前記保持部の各々は前記ハンドルに結合したそれぞれのハウジングに取り付けられ、前記熱部および前記保持部の少なくとも一方は前記ハウジング内に浮いた状態で支持され、前記加熱部および前記保持部の少なくとも一方が第１の永久磁石を具え、該第１の永久磁石が、対応ハウジングに属して対向する第２の永久磁石であって前記第１の永久磁石と同位相で取り付けられた当該第２磁石と協働するということに基いて、髪が前記加熱部と前記保持部との間に挿入可能である。
【００１２】
この種のヘアスタイリング器具により、処理すべき髪を加熱部および保持部（これらの部分が整髪（hair-shaping）手段を形成する）間に挿入し、加熱整髪を行うために加熱部と接触する位置に位置づけ可能となる。器具は保持部と協働するいくつかの加熱部（例えばスリーフィンガークリップ）を具えていてもよい。加熱部および保持部の各々は、その構成部とともに、支持ハウジングの各々に取り付けられる。各ハウジングは、器具のハンドルすなわち把持用の部分に結合される。
【００１３】
本発明では、前記加熱部および前記保持部の少なくとも一方は、磁界の力を用いることで、ハウジング内に浮いた状態で支持される。
【００１４】
部品をそのハウジングに対して浮いた状態で支持するということは、遊びをもって、かつ、磁界による力の作用を受けたときにその部品が少なくとも一方向に移動する能力をもって支持されることを意味するものとして理解される。この種の浮上支持は、保持部、加熱部またはその双方に１以上の自由度を提供する。加熱部または保持部の浮上支持は、例えば、１以上の軸のまわりの回転を許容するピボット型またはボール型ジョイントを介して、もしくは磁界の方向への並進を許容するスリップ型ジョイントを介して、加熱部または保持部をその支持部に結合することにより実現できる。
【００１５】
実験室で行われた試験においては、この種の磁気浮上支持が磁界による部品の移動を許容し、加熱部および保持部間に挿入された髪の最も細い房に対しても非常に正確に適応させることができるという驚くべき結果が観察された。この適応は、摩擦、閉塞（blockage）、構成要素の製造上の公差（構造上の幾何学的欠陥は磁気浮上支持により補償される）およびその他に起因した機械的損失を何ら被ることなく得られたのである。
【００１６】
従って、かかるシステムにより、浮いた状態とされる整髪手段に挿入される髪の、種々の厚みの房を収容することが可能となり、これによって厚みによらず熱量を髪の房に伝達することができるようになる。この結果、より速く（最初のパスで適切に処理されない部分について再処理を行う必要がない）、さらにはより長持ちする（longer lasting）整髪を行うことができる。
【００１７】
特に、本発明によれば、保持部および／または加熱部が第１の永久磁石を具え、該第１の永久磁石が、対応ハウジングに属して対向する第２の永久磁石であって第１の永久磁石と同位相で取り付けられた当該第２磁石と協働する。
【００１８】
すなわち、磁石を具える部分は、自身のハウジングにおける同位相のフェーズ・マグネットにより浮いた状態で支持される。従って、磁界はこの部品のハウジングに包囲され、髪と接触する処理エリアに影響を与えることがない。この解決策には、単一構造を構成できるという利点があり、この構造のハウジングに磁石および浮上部の双方が保持されるものとなる。さらに、主要な開放軸または閉鎖軸のまわりに回動する２つの部品を具えた器具に関連して、この解決策は器具を開放するための手段に干渉しないという利点を提供する。
【００１９】
前記磁石は、保持部または加熱部の各端部に実質的に配置されることが好ましい。
【００２０】
これにより、処理面から距離を置いた回動軸を中心として２つのアームが回動するようにしたクランプ型器具に関連するものであっても、処理面に沿った髪のクランプ力をより良く分散させ、一様な力を作用させることが可能となる。
【００２１】
好ましくは、保持部が加熱される。
【００２２】
これにより、加熱部の処理面とこれに対向する保持部の処理面という、２つの対向処理面によって髪が同時に加熱処理されることから、整髪性を改善することができる。
【００２３】
本発明器具の一実施形態の例では、保持部または加熱部が平坦または隆起した処理面を有している。
【００２４】
かかる器具は特に髪のストレートニングに向いたものであり、この場合において、髪は平坦な処理面と非平面（すなわち保持部の隆起面またはエッジ）との間で、もしくは２つの平坦な処理面（一方が加熱部、他方が保持部の処理面である）間で、ストレートニングされるものとなる。一例においては、処理面の一方は波型であり、相補的な形状を有する対向処理面と協働して、これら２つの処理面間を髪が通過する際に、髪を押さえるものとなっている。
【００２５】
器具は加熱部または保持部を案内するための手段を具えていることが好ましく、この手段は髪処理面の平面に垂直な、中間位置にある平面（midplane）またはこの平面のいずれかの側部に配置される。
【００２６】
かかる案内手段は回転または並進可能であり、処理面の中間平面またはこの中間平面のいずれかの側部に配置されたときに、処理面の全体に沿って、ひいては処理される髪に沿って、一様な力が確実に作用するようになる。
【００２７】
器具の他の実施形態の例において、加熱部は回転体形状（shape generated by revolution）を持つ髪処理面を有し、保持部は加熱部の形状に適合する処理プレートを有する。
【００２８】
回転体形状としては円筒または円錐とすることができ、この場合処理面は、保持面を用いて髪を処理面に保持させながら、髪を処理面の軸のまわりに巻き付けることにより、カールを作ることができるようにするものである。
【００２９】
器具は、保持部を半径方向に案内する手段を含んでいることが好ましい。
【００３０】
保持部は、磁界の力を用いて浮いた状態で支持される。対向する円筒状または円錐状の加熱部に対して半径方向に案内されることによって、処理されるべき髪の房に一様な圧力を加えることが可能となり、これによって、髪が巻き付けられる加熱面に対し全長にわたる良好な接触が行われる。この半径方向の案内部を、回転案内部または並進案内部とすることができる。
【００３１】
本発明器具の実施形態の例では、保持部または加熱部はハンドルの長手軸に垂直な軸のまわりに旋回可能に取り付けられる。
【００３２】
かかる器具によって、髪を挿入するための開放位置から、髪の処理を実施するための閉鎖位置への動きが可能となる。かかる器具は、ストレートニング用アイロンまたはカール用アイロンとすることができる。回転軸を有するそのような器具に対しては、反発磁界（）を用いることで浮上支持が生成されることが好ましく、これによれば、この磁界が開放手段に干渉することがなく、従って器具を開放するための付加的な作用力を必要としないものとなる。
【００３３】
本発明器具の実施形態の他の例では、保持部および加熱部のハウジングはハンドルに対して固定されるよう取り付けられ、器具は保持部および加熱部間に髪を挿入するための手段を具えている。
【００３４】
従って、この器具は、保持プレートおよび／または加熱プレートを浮いた状態で支持する固定フレームと、挿入手段とを具える。挿入手段は自由な面の形態として具現化されるが、面取りを施した、または丸めたエッジをもつ曲面をもつものとすることが好ましい。これによれば、整髪手段間に髪を自動または手動で挿入することが可能となり、処理される髪の房に対しての余地を残すよう分離することも可能となる。そして処理の全期間を通じて整髪手段に対する髪の接触が維持され、当該接触を維持するために人が何らかの力を作用させる必要もない。
【００３５】
本発明の器具は、好ましくは磁界の力をを調整するための手段を具える。
【００３６】
これにより、処理する髪のタイプに１または複数の整髪部の加圧力を適合させることが可能となり、髪に加わる力およびユーザが受ける引っ張り感（pulling sensation）を減らすことができるとともに、髪をよりよく保護できることにもなる。実験室で行われた試験を通じ、太く粗い髪に対しては大きな力が加えられ、細くデリケートな髪に対しては小さな力が用いられることが観察された。調整手段は、例えばハウジングの内側で磁石を移動させる調整ねじまたはカムを用いた機械的な手段とすることができ、これにより整髪部間および対向磁石間の距離を変化させることが可能となる。それらの限界位置の一方において、調整手段は、通常接触状態にあるプレートを開放するための解除手段（例えば磁石をその軸のまわりに回転させ極性を変えるための手段）を構成することができる。
【発明を実施するための最良の形態】
【００３７】
以下、添付の図面に示された実施形態（これに限定されるものではない）を検討することで、本発明がよりよく理解される。
【００３８】
図１（ａ）および（ｂ）に示されたヘアスタイリング器具はストレートニング用アイロンであって、対称形状の上部ハウジングシェル２０および下部ハウジングシェル２２を含んだ、２体のハウジングを具えている。シェル２０，２２はインジェクション技術を用いてプラスチック材料で成形され、これらシェルの後側の部分が、保持部２および加熱部３を含む部分の傍らより手前側に延在するハンドル１を形成している。加熱部３は、電気的に、またはガスあるいは蒸気等により加熱可能である。加熱部３は、髪と接触するための外側面に、概ね長方形状を有する処理面１８を具えている。処理面１８は熱伝導性のある材料で作成されており、これは研磨され、さらにエナメル、セラミック材、ガラス被覆などで覆われていてもよい。保持部２は単純な金属プレートであってよく、髪と接触するための外側面に、概ね長方形状を有する処理面１７を具えている。処理面１７は研磨され、さらにエナメル、セラミック材、ガラス被覆などで覆われていてもよい。図示の例では、保持部２は加熱部３と同じ方法で作成されており、処理される髪の房に熱量を供給することも可能である。
【００３９】
図２により明確に示されるように、保持部２および加熱部３は概ね平行六面体の形状を有し、上部シェル２０（図２では省略されている）によって保持部２のハウジング内に、および下部シェル２２によって加熱部３のハウジング内に、それぞれ支持されるモジュールの形態として具現化されている。各モジュール２９は、その平行な２つの横側面にリブ３１を具え、このリブが、ハウジングのシェル２０および２２の平行な横側面にそれぞれ存在するレール（図１（ｂ））内での支持および案内を行っている。上部シェル２０のレール４２および下部シェル２２のレール４２は互いに平行であり、保持部２および加熱部３が確実に平行に取り付けられるようにしている。スロット４３内を摺動する係止ピン２６によって、取り付け後には各モジュール２９が長手方向にロックできるようになる。
【００４０】
図示の例においては、保持部２および加熱部３のモジュール２９は概ね平行六面体形状のプレート２５を具えている。プレート２５は内部空洞３８を有し、例えば赤外線放射加熱エレメントや、ＰＴＣを有した抵抗加熱エレメントなどの電気的加熱エレメント２４がこの空洞に収容される。各部の加熱エレメント２４は、プレート２５の底壁に取り付けられることによってプレート２５と熱的に接続される。プレート２５の底壁は、処理される髪に対し熱量を十分に伝える目的で、各処理部のそれぞれの処理面１７または１８を形成している。内部空洞３８は、加熱エレメントから離隔した上壁により閉じられる。プレート２５はキャップ３９内に取り付けられている。キャップ３９は、保持部２または加熱部３についてのそれぞれの処理面を形成する靴底状部分（sole）を除いて、外周の全体を包囲している。
【００４１】
本発明では、モジュール２９は、磁気懸架手段により、器具のハウジング内で浮上した状態で支持される。図１および図２に示された例においては、例えば締結ねじ２３およびナット（不図示）を用いてシェル２０および２２を組み立てることで、ハウジングが構成される。構成されたハウジングは固定フレーム４を形成し、これは、長手方向断面に示されるように、長手軸Ｙの両側に配置された２つの平行アーム９および１０（ハンドル１を形成する延伸部の傍らから奥側に延在している）を具え、これら２つのアームは、ねじアセンブリによりハンドル１のレベルで結合している。
【００４２】
図１および図２から明らかなように、アーム９および１０の各々はＵ字形の断面を有し、モジュール２９が浮いた状態で支持されることができるようにしている。特に、本発明では、図１（ａ）、（ｂ）および図２に示されるように、フレーム４の内側でのモジュールの浮上支持は、同位相に取り付けられたいくつかの永久磁石対による磁界を用いて行われている。すなわち、フレーム４の上部アーム９は、その内面に形成された空洞に固定して取り付けられた２つの永久磁石１２を具えている。磁石１２は円筒形状を有し、その軸がハウジングの中間にある平面（midplane）に収まるように配置されている。磁石１２は、そのＮ極が取り付け用空洞の外側に面するような向きに配置される。アーム９に組み合わされるモジュール２９もまた２つの永久磁石１１を具え、これら磁石はキャップ３９の上面に形成された空洞に固定して取り付けられている。磁石１１は磁石１２と同形状および同寸法を有し、その軸もハウジングの中間にある平面に収まるように配置されている。磁石１１は、そのＮ極が外側に面し、磁石１２のＮ極に対向するような向きに配置される。同様に、フレーム４の下部アーム１０は、その内面に形成された空洞に固定して取り付けられた２つの永久磁石１２を具えている。その磁石１２も円筒形状であり、その軸がハウジングの中間にある平面に収まるよう、かつ、そのＮ極が取り付け用空洞の外側に面するような向きに配置されている。アーム１０に組み合わされるモジュール２９もまた２つの永久磁石１１を具え、これら磁石はキャップ３９の下面に形成された空洞に固定して取り付けられている。磁石１１は磁石１２と同形状および同寸法を有し、その軸もハウジングの中間にある平面に収まるように配置され、かつ、そのＮ極が外側に面して磁石１２のＮ極に対向するような向きに配置される。
【００４３】
各対の磁石１１，１２は互いに距離をもち、かつ互いに反発するよう配置される。この結果、加熱部３および保持部２は互いに押圧され、処理面１８および１７のレベルで接触する。加熱部３および保持部２は、それらの間に挿入される処理対象の髪により、磁界の力に抗して押し戻し可能である。フレーム４に対する加熱部３および保持部２の各々の移動は、モジュール２９が遊びをもって取り付けられていること、特にリブ３１がアーム９および１０の各々のレール４２内で垂直方向に移動できることによって可能となる。図示の例では、磁石１１，１２は約５ｍｍの直径および約２ｍｍの高さを持ち、互いに１〜５ｍｍの距離をおいて配置することができる。磁石１１，１２は、例えば、ホウ化鉄ネオジム（neodymium iron boron）またはコバルトサマリウム（cobalt samarium）の粉末の焼結によって作製され、良好な温度抵抗性を有しているものである。
【００４４】
器具は加熱部３および保持部２間に髪を挿入するための手段２７を具える。図１（ａ）、（ｂ）および図２に示される例においては、髪の挿入手段２７は、処理面１７および１８の延伸部において、外側に曲がった内面の形態として具現化されている。この例では、モジュール２９はフレーム４から突出する先進部４０を具え、その内面が弧状の面（chamfer）４１を形成し、プレート２５の処理面のレベルに髪を導くようになっている。特に、弧状面４１の丸みのついた輪郭の接線は、プレート２５に対する接合部のレベルで、そのレベルかつ処理面１７，１８の延長上に位置する。すなわち、弧状面４１は萼（calyx）の形状に形成され、処理プレートの接合部のレベルに髪を導くことができるようになっている。
【００４５】
操作時には、器具を所定の温度にした後、ユーザは髪の房を取り、好ましくは器具を頭皮のできるだけ近くに配置して、弧状面４１のレベルに髪を持ってくる。そこで面４１は髪の房を器具の内側に向かって摺動させ、髪は自動的に器具の加熱部３および保持部２間に挿入され、それらの分離移動を生じさせる。保持部２および加熱部３が分離移動することで、髪の房の厚みと、処理面の長さに沿ったその房の変化とに適応できる。そしてユーザは、髪の房に沿って髪の根元から先端まで器具を移動させる。このストレートニング過程を通じ、力の作用は不要である。器具は固定フレームをもつハウジングと、保持部２および加熱部３とを具え、保持部２および加熱部３は、磁界の力によって接触状態に維持されるとともに、髪の房の厚みに自動的に適応するからである。
【００４６】
図３（ａ）および（ｂ）は本発明の第２の実施形態に係る器具を示し、上述したものと同等の、または上述したものと同様の機能を有する要素については、同じ参照符号を付してある。この第２実施形態に係るヘアスタイリング器具は、２つの関節型アームを具備したハンドル１を具えている。関節型アームは、ばね（不図示）を用いて弾性的に、ハンドルの一端に配置されたジョイントの軸Ｘに関して、アームの開放位置と閉鎖位置との間で回動するようにされている。２つの関節型アームは、それぞれの自由端で整髪手段を支持する。すなわち、図には上部アーム１４が保持部２のハウジング５を支持し、下部アーム１５が加熱部３のハウジング６を支持していることが示されている。ハウジング５および６は、それぞれ、アーム１４および１５に結合している。あるいは、例えばインジェクション技術を用い、プラスチック材で作製することで、ハウジングとアームとが一体に構成されていてもよい。
【００４７】
上例と同様、加熱部３は、電気的に、またはガスあるいは蒸気により、あるいはファンからの熱した気流により、加熱可能である。加熱部３は、髪と接触するための外側面に、概ね長方形状を有する処理面１８（その形状および寸法は、それが覆う加熱部３と同じであることが好ましい）を具えている。処理面１８は熱伝導性のある材料で作成されており、これは研磨され、さらにエナメル、セラミック材、ガラス被覆などで覆われていてもよい。保持部２は単純な金属プレートであってよく、髪と接触するための外側面に、概ね長方形状を有する処理面１７（その形状および寸法は、それが覆う保持部２と同じであることが好ましい）を具えている。処理面１７は研磨され、さらにエナメル、セラミック材、ガラス被覆などで覆われていてもよい。図示の例では、保持部２は加熱部３と同じ方法で作製されており、処理される髪の房に熱量を供給することも可能である。ハンドル１および回動アームは次のように具現化されている。すなわち、アームが開放位置にあるときには髪の房をアーム間に挿入でき、アームが閉鎖位置にあるときには髪が処理面１７，１８間で加圧されるようになっている。
【００４８】
加熱部３は、ハウジング６内で遊び４９をもって浮いた状態で支持される。すなわち図に示されるように、加熱部３は、対向する永久磁石１１および１２間に確立される反発磁界の力により、磁気浮上した状態に維持される。加熱部３の内側面の隅にそれぞれ取り付けられることで、４つの永久磁石１１が存在している。永久磁石１２は、永久磁石１１と同軸上にあるよう、ハウジング６のベースに取り付けられる。永久磁石１２は、永久磁石と同位相となるよう、すなわちＳ極が対向磁石のＳ極に向くよう（あるいは、Ｎ極が対向磁石のＮ極に向くよう）配置されている。この例では、磁石１１，１２は約７ｍｍの直径および約４ｍｍの厚みを持ち、例えば１〜５ｍｍの距離をおいて配置されている。
【００４９】
操作時には、器具を所定の温度にした後、好ましくは器具を頭皮のできるだけ近くに配置して、ユーザは髪の房を加熱部３および保持部２間に挿入する。そして、ハンドル１の回動アーム１４，１５を押圧し、器具を閉じる。４対の永久磁石上に配置された加熱部３は磁気浮上しており、髪の房の厚みの変化に完全に適応できる。加熱部が保持部から離れるほど、対向磁石１１，１２間の距離が減少し、髪に加わる圧力が増大するからである。そしてユーザは、器具を閉じた状態にしたまま、髪の房に沿って髪の根元から先端まで器具を移動させる。
【００５０】
変形例として、上述と同様の構造を適用することで、保持部２についても磁気により浮いた状態で支持されるものとすることができる。保持部は加熱されるものでも、加熱されないものでもよい。さらなる変形例として、保持部および加熱部がそれぞれ磁気により浮いた状態で支持されるものとすることができる。
【００５１】
図４（ａ），（ｂ）および図５（ａ），（ｂ）を参照して他の実施形態を説明する。それらの操作は上述した方式に基いている。
【００５２】
図４（ａ）および（ｂ）に示される器具はストレートニング用の器具であり、２つの関節型アームを具備したハンドル１を具えている。関節型アームは、ばね３０を用いて弾性的に、ハンドルの一端に配置されたジョイントの軸Ｘに関して、アームの開放位置と閉鎖位置との間で回動するようにされている。関節型アーム１４，１５は、それぞれの自由端で整髪手段を支持する。整髪手段はハウジング５に取り付けられた保持部２と、ハウジング６に取り付けられた加熱部３とを含んでいる。整髪手段のハウジング５，６の各々は、それぞれのアーム１４，１５とともに一体に作製されている。保持部２および加熱部３はそれぞれ、赤外線放射加熱エレメントやＰＴＣを有した抵抗加熱エレメントなどとすることができる電気的加熱エレメント２４を具えている。各部の加熱エレメントは、それぞれの髪処理面１７または１８を形成するプレートと、ベースプレート２５との間に挟まれている。かかるアセンブリは、その端部が２つのプラグ嵌合部（plug fitting）１９，１９’で限界されており、それぞれのハウジングの内側への取り付けを容易にするためにモジュールの形態として具現化することができる。保持部２に組み合わされたプラグ嵌合部１９，１９’の各々は永久磁石１１を収容しており、対向する磁石１２はハウジング５の底壁に取り付けられている。変形例では、各プラグ嵌合部端の周辺に２つの磁石が配置される。対向磁石は同位相に取り付けられる。器具はまた案内手段２１を具え、ハウジング５の方向の保持部２の上方への並進移動と、処理面１７の平面内に含まれる軸に関するレスト時の保持部２の特定の回転移動とを可能にしている。
【００５３】
操作時には、器具を所定の温度にした後、好ましくは器具を頭皮のできるだけ近くに配置して、ユーザは髪の房を加熱部３および保持部２間に挿入する。そして、ハンドル１の回動アーム１４，１５を押圧し、器具を閉じる。２対または４対の永久磁石上に配置された加熱部３は磁気浮上しており、髪の房の厚みの変化に完全に適応できる。加熱部が保持部から離れるほど、対向磁石１１，１２間の距離が減少し、髪に加わる圧力が増大するからである。ストレートニング過程を通じ、保持部２および加熱部３は互いに離れる方向に変位することで髪の房の厚みに適応し、器具の構造によって幾何学的欠陥（geometric flaw）が補償される。そしてユーザは、器具を閉じた状態にしたまま、髪の房に沿って髪の根元から先端まで器具を移動させる。
【００５４】
図５（ａ）および（ｂ）に示す器具はカール用アイロンであって、電気的加熱エレメント（不図示）を収容した円筒状加熱部３より延在するハンドル１を具えている。はさみ３２は、ばね（不図示）の加圧によって関節Ｘの軸のまわりに弾性的に回動するようになっている。このばねは、はさみ３２の加熱部３に対する接触を維持するものである。はさみ３２は、その一端部に開放用の作動レバー３３を具えるとともに、保持部２のハウジング５の傍らにある他端部まで延在している。保持部２は弧状のプレート３５を具え、これは加熱部３の円筒状処理面３６と接触する。プレート３５の内側面の端部には２つの永久磁石１１が取り付けられている。磁石１１は加熱部３ないしはプレート３５の長手軸に対して半径方向に配置される。対向する磁石１２はハウジング５の底壁に取り付けられている。対向磁石は同位相に取り付けられる。プレート３５はまた半径方向の案内手段３７を具え、軸Ｘに平行な軸に関して僅かな回動を許容する。保持部２はまた電気的加熱エレメント２４を具え、これは加熱部３とは独立して作動可能である。変形例（図示しない）においては、加熱軸（heating mandrel）が２つの保持部２と協働可能である。
【００５５】
操作時には、器具を所定の温度にした後、ユーザははさみ３２を開き、加熱軸すなわち加熱部３とプレート３５の間に髪の房を挿入する。はさみ３２を閉じる前に、髪の房を単に把持するか、または加熱軸のまわりに巻き付けることができる。そして、ユーザはレバー３２を解放し、これによってはさみ３２が閉じられる。髪に巻き癖を付ける（winding）過程を通じ、保持部２および加熱部３は互いに離れる方向に変位することで髪の房の厚みに適応し、器具の構造によって幾何学的欠陥が補償される。加熱部３による熱交換（保持部２からの熱の供給が付加されてもよい）がある期間行われた後、ユーザははさみを開き、整えられた髪の房を引き出す。
【００５６】
本発明は、特許請求の範囲を逸脱することなく、他の変形例や実施形態も考慮することが可能である。
【００５７】
すなわち、永久磁石を電磁石に置き換えて磁界を発生させることもできる。
【００５８】
さらに、本発明の方式は、隆起した輪郭を有するプレートや、対向する隆起部を具えるクリンプ用またはカール用アイロンなどを含め、他の種のヘアスタイリング器具にも適用可能である。
【図面の簡単な説明】
【００５９】
【図１】（ａ）は本発明の第１の実施形態に係る器具の軸方向断面図、（ｂ）は正面図であり、（ｂ）の断面Ａ−Ａを取ったものが（ａ）である。
【図２】図１に示す器具の斜視図であり、明確化のためにハウジングの上側部分を省略して示している。
【図３】（ａ）は本発明の第２の実施形態に係る器具の模式的側面図、（ｂ）はその正面図である。
【図４】（ａ）は本発明の第２の実施形態に係る器具の軸方向断面図、（ｂ）はその器具をレスト位置で示す図である。
【図５】（ａ）は本発明の第３の実施形態に係る器具の軸方向断面図、（ｂ）はその器具をレスト位置で示す図である。
【図１】
2008253745.tif 000003
【図２】
2008253745.tif 000004
【図３】
2008253745.tif 000005
【図４】
2008253745.tif 000006
【図５】
2008253745.tif 000007
【外国語明細書】
2008253745000001.pdf